(57)【要約】【課題】携帯電話機の使用が禁止されているエリアで携帯電話機からの発信を遠隔制御する事が可能な携帯電話機遠隔制御機能を有する内線電話機を提供する。【解決手段】携帯電話機４００は基地局に接続済み状態であり、無線機能付き内線電話機３００は公衆網に接続された構内交換機１００と接続済みの状態であり、使用許可エリア３にある無線機能付き内線電話機３００と携帯電話機４００は近距離無線通信により、接続済みの状態とする。前記構内交換機１００に接続された使用禁止エリア２にある内線電話機２００から無線機能付き内線電話機３００に発信を行い、音声信号により携帯電話機４００へ電話発信通知を送信することで、前記使用禁止エリア２にある内線電話機２００から前期使用許可エリア３にある携帯電話機４００からの発信を遠隔制御する。【選択図】図１
2018152718.tif 000002
【特許請求の範囲】
【請求項１】
近距離無線通信を用いて所定の携帯電話機と無線接続する内線電話機であって、
前記無線接続した携帯電話機を遠隔制御する携帯電話機遠隔制御手段と、
所定の携帯電話機の端末ＩＤと、前記携帯電話機の遠隔制御を許可した内線電話機の内線番号と、を予め対応付けて記憶する遠隔制御許可内線記憶手段と、
所定の携帯電話機が無線接続している状態で、内線着信が到来すると、当該内線着信に自動応答して発信元の内線電話機と自内線電話機との間の通話を確立すると共に、当該通話を確立した発信元の発信元番号を抽出して、前記遠隔制御許可内線記憶手段に前記発信元番号と一致する電話番号が存在するか否かを判定する発信元番号一致判定手段と、
前記発信元番号と一致する電話番号が前記遠隔制御許可内線記憶手段に存在する場合、当該発信元番号に対応する携帯電話機の端末ＩＤを参照し、前記参照した携帯電話機の端末ＩＤに対応する携帯電話機が無線接続しているか否か判定する対応携帯電話機接続判定手段と、
前記参照した携帯電話機の端末ＩＤに対応する携帯電話機が無線接続している場合、前記通話を確立した発信元の内線電話機から受信する音声から前記無線接続している携帯電話機を遠隔制御する音声信号を受付ける遠隔制御音声信号受付け手段と、を有し、
前記遠隔制御音声信号受付け手段が無線接続している携帯電話機を遠隔制御する音声信号を受付けたならば、前記携帯電話機遠隔制御手段は、受付けた音声信号に応じて前記携帯電話機を遠隔制御することを特徴とする携帯電話機遠隔制御機能を有する内線電話機。
【請求項２】
請求項１に記載の内線電話機であって、
前記遠隔制御音声信号受付け手段が受付けた音声信号は、前記携帯電話機のメールアカウント用いて定型文を含む電子メールの送信またはＳＮＳによるメッセージ送信を遠隔制御する音声信号であることを特徴とする携帯電話機遠隔制御機能を有する内線電話機。
【請求項３】
請求項１に記載の内線電話機であって、
前記遠隔制御音声信号受付け手段が受付けた音声信号は、前記携帯電話機の電話回線を介して電話発信を遠隔制御する音声信号であることを特徴とする携帯電話機遠隔制御機能を有する内線電話機。
【請求項４】
請求項１に記載の内線電話機であって、前記携帯電話機と無線接続している状態で、前期携帯電話機内のアプリケーションから通知される電池残量を解析して音声信号に変換する、音声信号解析手段と、前記遠隔制御許可内線記憶手段を参照し、検出した電池残量を通知する電池残量通知手段とをさらに有することを特徴とする携帯電話機遠隔制御機能を有する内線電話機。
【請求項５】
請求項１に記載の内線電話機であって、前記携帯電話機の接続状態を開始して、接続状態の変化を通知するローカル接続手段と、前記記憶手段を参照し、検出した接続状態の変化を通知する内線電話機を特定する内線電話機特定手段と、前記携帯電話機の状態通知に係る遠隔制御コマンドを送信する遠隔制御コマンド送信手段と、前記ローカル接続監視手段で、前記携帯電話機の状態変化を検出して盗難を通知する盗難通知手段と、をさらに有することを特徴とした携帯電話機遠隔制御機能を有する内線電話機。
【発明の詳細な説明】
【技術分野】
【０００１】
本発明は、携帯電話機と無線接続する電話端末に関し、特に当該電話端末の通話先からの指示に応じて無線接続した携帯電話機を遠隔制御する技術に関する。
【背景技術】
【０００２】
病院に勤務する看護師は、病院設備（ＣＴ等の精密機器）への電磁波による影響を考慮し、プライベート用の携帯電話機を病院内の電磁波による影響が発生しない所定の場所（例えば、更衣室等）に保管することが多い。このため、勤務中は携帯電話機を用いた発着信（プライベート電話）が出来ないという問題がある。
【０００３】
上述の問題を解決する技術として、例えば特許文献１には、携帯電話機が、自携帯電話機に搭載されているＧＰＳ（Ｇｒｏｂａｌ  Ｐｏｓｉｔｉｏｎｉｎｇ  Ｓｙｓｔｅｍ）を使用して定期的に自機の位置情報を取得し、取得した位置情報が予め登録された無線通信禁止エリア内であったならば、ボイスワープ（登録商標）等の所定の転送サービスを用いて病院内の電話機（内線電話機）に転送する技術が記載されている。
【０００４】
これにより、看護師は、勤務中であってもプライベート用の着信（携帯電話機宛の着信）を受けることができる。
【先行技術文献】
【特許文献】
【０００５】
【特許文献１】特開２０１５−７０３７２号公報
【発明の概要】
【発明が解決しようとする課題】
【０００６】
しかしながら、特許文献１の技術は、発信（携帯電話機からの発信）については考慮していない。例えば、家族、知人等への緊急を要する発信をする場合、病院側の固定電話回線を用いて発信することが考えられるが、本来、急患の患者やその家族が非常時に利用すべき病院側の電話回線を、緊急とはいえ看護師がプライベート用に使うのは望ましくない。
【０００７】
また、病院側の固定電話回線を用いて発信したとしても、発信先が見知らぬ固定電話からの着信と誤解して着信に応答しない場合も考えられる。
【０００８】
本発明は上記事情に鑑みて為されたものであり、その目的は、病院側の固定電話回線を用いずに緊急を要する発信することが可能な電話装置を提供することにある。
【課題を解決するための手段】
【０００９】
上記課題を解決するために、本発明は、近距離無線通信を用いて所定の携帯電話機と無線接続する内線電話機であって、前記無線接続した携帯電話機を遠隔制御する携帯電話機遠隔制御手段と、所定の携帯電話機の端末ＩＤと、前記携帯電話機の遠隔制御を許可した内線電話機の内線番号と、を予め対応付けて記憶する遠隔制御許可内線記憶手段と、所定の携帯電話機が無線接続している状態で、内線着信が到来すると、当該内線着信に自動応答して発信元の内線電話機と自内線電話機との間の通話を確立すると共に、当該通話を確立した発信元の発信元番号を抽出して、前記遠隔制御許可内線記憶手段に前記発信元番号と一致する電話番号が存在するか否かを判定する発信元番号一致判定手段と、前記発信元番号と一致する電話番号が前記遠隔制御許可内線記憶手段に存在する場合、当該発信元番号に対応する携帯電話機の端末ＩＤを参照し、前記参照した携帯電話機の端末ＩＤに対応する携帯電話機が無線接続しているか否か判定する対応携帯電話機接続判定手段と、前記参照した携帯電話機の端末ＩＤに対応する携帯電話機が無線接続している場合、前記通話を確立した発信元の内線電話機から受信する音声から前記無線接続している携帯電話機を遠隔制御する音声信号を受付ける遠隔制御音声信号受付け手段と、を有し、前記遠隔制御音声信号受付け手段が無線接続している携帯電話機を遠隔制御する音声信号を受付けたならば、前記携帯電話機遠隔制御手段は、受付けた音声信号に応じて前記携帯電話機を遠隔制御することを特徴とする。
【発明の効果】
【００１０】
本発明によれば、電話装置は、近傍に存在する携帯電話機を収容するとともに当該携帯電話機の発着信に係る遠隔制御を実行可能とし、通話中に予め登録された他の電話装置から発信に係る制御コマンドを受付けると、前記遠隔制御を用いて携帯電話機を用いた発信を行う。
【００１１】
これにより、看護師は、勤務中にナースセンター等に設置された内線電話機を用いて前記携帯電話機を遠隔制御し、携帯電話機の発信を行うことで、電話装置において病院側の固定電話回線を用いずに緊急を要する発信が可能となる。
【図面の簡単な説明】
【００１２】
【図１】図１は、本発明の一実施の形態に係る無線機能付き内線電話機を備える電話システムの全体構成図である。
【図２】図２は、本発明の一実施の形態に係る無線機能付き内線電話機３００の機能ブロック図である。
【図３（ａ）】図３（ａ）は、内線電話機情報記憶部３１２に記憶された許可内線管理テーブル３１２００を模式的に記載したテーブルである。
【図３（ｂ）】図３（ｂ）は、内線電話機情報記憶部３１２に記憶された遠隔操作処理ＤＴＭＦ信号管理テーブル３１２０１を模式的に記載したテーブルである。
【図３（ｃ）】図３（ｃ）は、内線電話機情報記憶部３１２に記憶されたメール定型文ＤＴＭＦ信号管理テーブル３１２０２を模式的に記載したテーブルである。
【図４】図４は、本発明の一実施の形態に係る内線電話機３００の動作フローチャートである。
【図５】図５は、本発明の一実施の形態に係る無線機能付き内線電話機が内線着信を検出した後、遠隔制御コマンドに従い携帯電話機から遠隔発信する場合の動作を表すフローチャートである。
【図６】図６は、本発明の一実施の形態に係る無線機能付き内線電話機が内線着信を検出した後、遠隔制御コマンドに従い携帯電話機から遠隔メール送信する場合の動作を表すフローチャートである。
【発明を実施するための形態】
【００１３】
以下、本発明を実施する形態について、図面を用いて説明する。
【００１４】
図１は、本発明の一実施の形態に係る無線機能付き内線電話機を備える電話システムの全体構成図である。
【００１５】
図示するように、本発明の電話システムは、病院などの携帯電話機の使用が禁止された使用禁止エリア２に設置された内線電話機２００と、病院のロッカーなど携帯電話機の使用が許可された使用許可エリア３に設置された無線機能付き内線電話機３００と、内線電話機２００および無線機能付き内線電話機３００を収容する構内交換機１００と、無線機能付き内線電話機３００と近距離無線通信（例えば、Ｂｌｕｅｔｏｏｔｈ（登録商標））する携帯電話機４００とから構成される。
【００１６】
構内交換機１００は、公衆網に接続し複数の内線電話機２００、３００および複数の外線を収容し、内線制御、外線制御を行う構内交換機である。
【００１７】
内線電話機２００は、構内交換機１００に接続され、内線発信、内線着信、内線通話等の電話呼動作が可能な汎用の内線電話機である。
【００１８】
無線機能付き内線電話機３００は、本発明の発明対象の電話機であり、構内交換機１００に接続され、内線発信、内線着信、内線通話等の電話呼動作が可能である。また、無線機能付き内線電話機３００は、携帯電話機４００と近距離無線通信を行い、携帯電話機４００の電話機能を遠隔で制御する。
【００１９】
携帯電話機４００は、無線機能付き内線電話機３００と近距離無線通信により接続されており、無線機能付き内線電話機３００と相互に通信が可能である。さらに、携帯電話機４００は、無線機能付き内線電話機３００からの指示に従い、発着信に係る処理を行い、基地局に接続することで、外線発信、外線着信、外線通話等の電話呼動作が可能な汎用の携帯電話機である。
【００２０】
図２は、本発明の一実施の形態に係る無線機能付き内線電話機３００の機能ブロック図である。
【００２１】
図示するように、無線機能付き内線電話機３００は、内線インタフェース部３０１と、表示部／キー操作入力部３０２と、送受話部３０３と、中央制御部３０４、近傍携帯無線接続制御部３０５、携帯電話機遠隔制御部３０６、携帯着信検出部３０７、遠隔制御コマンド監視部３０８、自動応答制御部３０９、自動発信制御部３１０、メッセージ送出制御部３１１、内線電話機情報記憶部３１２、音声データ中継制御部３１３とから構成される。
【００２２】
内線インタフェース部３０１は、無線機能付き内線電話機３００と構内交換機１００とを物理的に接続するための回路である。尚、前記内線インタフェース部３０１と構内交換機１００との接続は、ＩＰ（Ｉｎｔｅｒｎｅｔ  Ｐｒｏｔｏｃｏｌ）を用いた有線による接続、もしくは無線による接続であっても良い。
【００２３】
表示部／キー操作入力部３０２は、無線機能付き内線電話機３００を使用するユーザに情報を表示するためのＬＣＤ（ｌｉｑｕｉｄ  ｃｒｙｓｔａｌ  ｄｉｓｐｌａｙ）表示器とユーザからの電話機操作を受け付けるためのダイヤルキー等を具備する。
【００２４】
送受話部３０３は、無線機能付き内線電話機３００を使用するユーザからの音声入力と音声出力を行う。
【００２５】
中央制御部３０４は、無線機能付き内線電話機３００の制御全般を行う。
【００２６】
近傍携帯無線接続制御部３０５は、無線により自内線電話機の近傍に存在する携帯電話機４００との接続を制御し、前記携帯電話機４００との無線通信を実現する。
【００２７】
携帯電話機遠隔制御部３０６は、遠隔制御する携帯電話機４００を特定し、前記特定した携帯電話機４００を遠隔制御する。
【００２８】
携帯着信検出部３０７は、前記携帯電話機４００から送信される自内線電話機に対する着信を検出する。
【００２９】
遠隔制御コマンド監視部３０８は、構内交換機１００からの内線着信に応答した後に、内線発信元となる自内線電話機以外の内線電話機２００から受信する音声信号に、前記携帯電話機４００の遠隔制御を行う遠隔制御コマンドが含まれていないかを監視する。
【００３０】
自動応答制御部３０９は、構内交換機１００からの内線着信もしくは前記携帯電話機４００から着信があった場合に当該着信に対して自動応答する。
【００３１】
自動発信制御部３１０は、前記携帯電話機４００から着信があった場合に自動発信対象となる自内線電話機以外の内線電話機２００を特定し、前記特定した内線電話機２００に対して自動発信する。
【００３２】
メッセージ送出制御部３１１は、自内線電話機以外の内線電話機２００もしくは前記携帯電話機４００を介して通話相手に所定の音声案内メッセージを送出する。
【００３３】
内線電話機情報記憶部３１２は、許可内線管理テーブル３１２００を記憶する。
【００３４】
図３（ａ）は、内線電話機情報記憶部３１２に記憶された許可内線管理テーブル３１２００を模式的に記載したテーブルである。
【００３５】
図示するように、許可内線管理テーブル３１２００は、自内線電話機と無線接続された携帯電話機フィールド３１２００１と携帯電話番号フィールド３１２００２と自内線電話機以外の許可内線電話機フィールド３１２００３とから構成される。
【００３６】
また、内線電話機情報記憶部３１２は、遠隔操作処理ＤＴＭＦ（Ｄｕａｌ  Ｔｏｎｅ  Ｍｕｌｔｉ  Ｆｒｅｑｕｅｎｃｙ）信号管理テーブル３１２０１を記憶する。
【００３７】
図３（ｂ）は、内線電話機情報記憶部３１２に記憶された遠隔操作処理ＤＴＭＦ信号管理テーブル３１２０１を模式的に記載したテーブルである。
【００３８】
図示するように、遠隔操作処理ＤＴＭＦ信号管理テーブル３１２０１は、ＤＴＭＦ信号フィールド３１２０１１と遠隔操作処理フィールド３１２０１２とから構成される。
【００３９】
また、内線電話機情報記憶部３１２は、メール定型文ＤＴＭＦ信号管理テーブル３１２０２を記憶する。
【００４０】
図３（ｃ）は、内線電話機情報記憶部３１２に記憶されたメール定型文ＤＴＭＦ信号管理テーブル３１２０２を模式的に記載したテーブルである。
【００４１】
図示するように、メール定型文ＤＴＭＦ信号管理テーブル３１２０２は、ＤＴＭＦ信号フィールド３１２０２１と定型文フィールド３１２０２２とから構成される。
【００４２】
許可内線管理テーブル３１２００は、無線機能付き内線電話機３００を使用するユーザによって予め登録する。許可内線管理テーブル３１２００は、携帯電話機フィールド３１２００１と携帯電話番号フィールド３１２００２と許可内線電話機フィールド３１２００３とから構成される。携帯電話機フィールド３１２００１は、近傍携帯無線接続制御部３０５により接続された携帯電話機を一意に識別するためのラベルを登録する。携帯電話番号フィールド３１２００２は、前記ラベルを登録した携帯電話機の携帯電話番号を登録する。許可内線電話機フィールド３１２００３は、許可内線電話機（当該携帯電話機の遠隔制御を許可した自内線電話機以外の内線電話機２００）の内線番号を登録する。
【００４３】
遠隔操作処理ＤＴＭＦ信号管理テーブル３１２０１は、ＤＴＭＦ信号フィールド３１２０１１と遠隔操作処理フィールド３１２０１２とから構成される。ＤＴＭＦ信号フィールド３１２０１１は、遠隔制御コマンド監視部３０８により監視したＤＴＭＦ信号を一意に識別するためのラベルを登録する。遠隔操作処理フィールド３１２０１２は、ＤＴＭＦ信号に対応するラベルの遠隔操作処理内容を登録する。
【００４４】
メール定型文ＤＴＭＦ信号管理テーブル３１２０２は、ＤＴＭＦ信号フィールド３１２０２１と定型文フィールド３１２０２２とから構成される。ＤＴＭＦ信号フィールド３１２０２１は、遠隔制御コマンド監視部３０８により検出したＤＴＭＦ信号を一意に識別するためのラベルを登録する。定型文フィールド３１２０２２は、ＤＴＭＦ信号に対応するラベルの定型文内容を登録する。
【００４５】
なお、許可内線管理テーブル３１２００は、構内交換機１００と接続された無線機能付き内線電話機３００の台数分存在し、各無線機能付き内線電話機に保存する。図２の説明に戻る。
【００４６】
音声データ中継制御部３１３は、自内線電話機以外の内線電話機２００と、自内線電話機と無線接続された携帯電話機４００のそれぞれにおいて生成された音声データを相互に中継する。
【００４７】
図４は、本発明の一実施の形態に係る内線電話機３００の動作フローチャートである。本フローは、内線電話機３００の電源が投入され、発着信の受付を可能な状態から開始する。
【００４８】
無線機能付き内線電話機３００の中央制御部３０４は、携帯電話機４００より近傍携帯無線接続制御部３０５を介して無線接続要求を受信する（Ｓ１００）、または、構内交換機１００より内線インターフェース部３０１を介して着信を受付ける（Ｓ１０３）、または、携帯電話機４００より近傍携帯無線接続制御部３０５を介して無線解除要求（近距離無線通信による接続状態を解除すること）を受付ける（Ｓ１１７）、表示部／キー操作入力部３０２から発信操作を受け付ける（Ｓ１１９）、無線接続要求、着信、無線解除要求、発信操作受付、以外の呼制御コマンドを受信する（Ｓ１２１）のいずれかの状態になるのを待つ。
【００４９】
携帯電話機４００より近傍携帯無線接続制御部３０５を介して無線接続要求を受信すると（Ｓ１００、Ｙｅｓ）、中央制御部３０４は、内線電話機情報記憶部３１２の許可内線管理テーブル３１２００の携帯電話機フィールド３１２００１に無線接続要求元の携帯電話機が登録済みかチェックする(Ｓ１０１)。許可内線管理テーブル３１２００の携帯電話機フィールド３１２００１に無線接続要求元の携帯電話機が登録済みの場合（Ｓ１０１、ＹＥＳ）、中央制御部３０４は、近傍携帯無線接続制御部３０５を介して携帯電話機４００と無線接続処理を行い、中央制御部３０４は、自動応答制御部３０９に着信自動応答モード（内線電話機からの着信に自動応答を行うこと）の設定を行う（Ｓ１０２）。無線接続要求元の携帯電話機４００が内線電話機情報記憶部３１２の許可内線管理テーブル３１２００の携帯電話機フィールド３１２００１に登録済みでない場合（Ｓ１０１、Ｎo）、ステップ１０３に移行する。
【００５０】
中央制御部３０４は内線インタフェース部３０１を介して構内交換機１００から着信を受け付けると（Ｓ１０３、Ｙｅｓ）、自動応答制御部３０９に着信自動応答モードが設定されているかチェックする（Ｓ１０４）。着信自動応答モードが設定されていない場合（Ｓ１０４、Ｎｏ）、通常の着信処理（Ｓ１０６）を行い、ステップ１１７に移行する。着信自動応答モードが設定されている場合（Ｓ１０４、Ｙｅｓ）、中央制御部３０４は着信に自動応答し呼接続処理後、発信元の内線電話機と通話を開始し（Ｓ１０５）、内線インタフェース部３０１を介して、通話先へ遠隔操作処理ガイダンス（ダイヤル入力により、遠隔操作処理内容を選択してくださいという、内容のガイダンスのこと）を送出する（Ｓ１０７）。
【００５１】
遠隔操作処理ガイダンスを送出後（Ｓ１０７）、中央制御部３０４は、内線インタフェース部３０１を介して構内交換機１００から送られてくる音声信号から遠隔制御コマンド監視部３０８によってＤＴＭＦ信号を検出する（Ｓ１０８）、または、内線インタフェース部３０１を介して構内交換機１００から切断信号を受信するか一定時間の経過を検出する（Ｓ１１２）、のいずれかの状態になるのを待つ。
【００５２】
通話先から切断信号を受信、または一定時間の経過を検出した場合（Ｓ１１２、Ｙｅｓ）、中央制御部３０４は、通話先との通話停止呼切断処理を行い（Ｓ１１６）、ステップ１１７に移行する。
【００５３】
通話先からの音声にＤＴＭＦ信号を検出した場合（Ｓ１０８、Ｙｅｓ）、中央制御部３０４は、内線電話機情報記憶部３１２の遠隔操作処理ＤＴＭＦ信号管理テーブル３１２０１のＤＴＭＦ信号フィールド３１２０１１を参照し、検出したＤＴＭＦ信号と一致するＤＴＭＦ信号を検索する（Ｓ１０９）。
【００５４】
そして、中央制御部３０４は、検出したＤＴＭＦ信号に一致するＤＴＭＦ信号フィールド３１２０１１のレコードの遠隔操作処理フィールド３１２０１２の遠隔操作処理内容が、遠隔発信処理開始か遠隔メール送信処理開始かを検出する。
【００５５】
遠隔操作処理フィールド３１２０１２の遠隔操作処理内容が遠隔発信処理開始の場合（Ｓ１１０、Ｙｅｓ）、中央制御部３０４は、遠隔発信処理（Ｓ１１１）を行い、ステップ１１６に移行する。遠隔発信処理の詳細については、後述の図５で説明する。
【００５６】
遠隔操作処理フィールド３１２０１２の遠隔操作処理内容が遠隔発信処理開始でない場合（Ｓ１１０、Ｎｏ）、中央制御部３０４は、検出した遠隔操作処理フィールド３１２０１２が遠隔メール送信処理開始かチェックする（Ｓ１１４）。
【００５７】
遠隔操作処理フィールド３１２０１２の遠隔操作処理内容が遠隔メール送信処理開始の場合（Ｓ１１４、Ｙｅｓ）、遠隔メール送信処理（Ｓ１１５）を行い、ステップ１１６に移行する。遠隔メール送信処理の詳細については、後述の図６で説明する。
【００５８】
遠隔操作処理フィールド３１２０１２の遠隔操作処理内容が遠隔メール送信処理でない場合（Ｓ１１４、Ｎｏ）、中央制御部３０４は、検出したＤＴＭＦ信号に応じた処理を行い（Ｓ１１３）、ステップ１１２に移行する。
【００５９】
中央制御部３０４は、近傍携帯無線接続制御部３０５を介して携帯電話機４００から無線解除要求を受信した場合（Ｓ１１７、Ｙｅｓ）、中央制御部３０４は、携帯電話機４００との無線解除処理行い、自動応答制御部３０９の着信自動応答モードを解除し（Ｓ１１８）、ステップ１１９に移行する。
【００６０】
中央制御部３０４は、表示部／キー操作入力部３０２から発信操作を受け付けた場合（Ｓ１１９、ＹＥＳ）、通常の発信処理を行い（Ｓ１２０）、ステップ１２１に移行する。
【００６１】
中央制御部３０４は、無線接続要求、着信、無線解除要求、発信操作受付、以外の呼制御コマンドを受信した場合（Ｓ１２１、Ｙｅｓ）、呼制御コマンドに応じた呼処理を実行し（Ｓ１２２）、ステップ１００に移行する。
【００６２】
図５は、図４の遠隔発信処理（Ｓ１１１）の詳細を説明するフロー図であり、本発明の一実施の形態に係る無線機能付き内線電話機が内線着信を検出した後、遠隔制御コマンドに従い携帯電話機から遠隔発信する場合の動作を表す。
【００６３】
遠隔発信処理が開始されると、中央制御部３０４は、通話先の電話番号が、内線電話機情報記憶部３１２の許可内線管理テーブル３１２００の許可内線電話機フィールド３１２００３に登録されているかを検索する（Ｓ１１１０１）。
【００６４】
通話先の電話番号が内線電話機情報記憶部３１２の許可内線管理テーブル３１２００の許可内線電話機フィールド３１２００３に登録されている、すなわち通話先が許可内線電話機であった場合（Ｓ１１１０２、Ｙｅｓ）、中央制御部３０４は、内線電話機情報記憶部３１２の許可内線管理テーブル３１２００から、通話先の電話番号に対応する携帯電話機を抽出する（Ｓ１１１０３）。通話先が許可内線電話機でなかった場合（Ｓ１１１０２、Ｎｏ）、中央制御部３０４は、通話先へ内線インタフェース部３０１を介して構内交換機１００へ遠隔発信停止ガイダンス（遠隔発信処理を停止する旨を知らせるガイダンスのこと）を送出する（Ｓ１１１１６）。そして、中央制御部３０４は、遠隔発信処理を終了する。
【００６５】
通話先の電話番号に対応する携帯電話機を抽出後（Ｓ１１１０３）、中央制御部３０４は、近傍携帯無線接続制御部３０５を介して抽出した携帯電話機が自装置と無線接続中か否か判定する（Ｓ１１１０４）。
【００６６】
抽出した携帯電話機が自装置と無線接続中の場合（Ｓ１１１０４、Ｙｅｓ）、中央制御部３０４は、内線インタフェース部３０１を介して、通話先へ番号入力案内ガイダンス（ダイヤル入力により番号入力を促すガイダンスのこと）を送出する（Ｓ１１１０５）。抽出した携帯電話機が自装置と無線接続中でない場合（Ｓ１１１０４、Ｎｏ）、ステップ１１１１６へ移行する。
【００６７】
通話先へ番号入力案内ガイダンスを送出後（Ｓ１１１０５）、中央制御部３０４は、内線インタフェース部３０１を介して構内交換機１００から送られてくる音声信号にＤＴＭＦ信号による発信先番号を検出する（Ｓ１１１０６）、または、一定時間経過する（Ｓ１１１０７）、のいずれかの状態になるのを待つ。
【００６８】
一定時間経過した場合（Ｓ１１１０７、Ｙｅｓ）、ステップ１１１１６へ移行する。ＤＴＭＦ信号による発信先番号の入力を検出した場合（Ｓ１１１０６、Ｙｅｓ）、中央制御部３０４は、携帯電話機遠隔制御部３０６より、携帯電話機４００を特定し、近傍携帯無線接続制御部３０５を介して、携帯電話機４００へ検出した発信先番号を含む電話発信通知（携帯電話機から電話発信を指示する通知のこと）を送信する（Ｓ１１１０８）。
【００６９】
そして、中央制御部３０４は、近傍携帯無線接続制御部３０５を介して、携帯電話機４００から通話開始通知（携帯電話機が通話状態となったことの通知のこと）を受信する（Ｓ１１１０９、Ｙｅｓ）、または、一定時間経過する（Ｓ１１１１０）、のいずれかの状態になるのを待つ。一定時間経過した場合（Ｓ１１１１０、Ｙｅｓ）、ステップ１１１１６へ移行する。通話開始通知を受信した場合（Ｓ１１１０９、Ｙｅｓ）、中央制御部３０４は、音声データ中継制御部３１３で通話先と携帯電話機４００間の音声中継処理を開始する（Ｓ１１１１１）。
【００７０】
そして、中央制御部３０４は、構内交換機１００から内線インタフェース部３０１を介して切断信号を受信する（Ｓ１１１１２）、または、携帯電話機４００から近傍携帯無線接続制御部３０５を介して切断信号を受信する（Ｓ１１１１３）、のいずれかの状態になるのを待つ。
【００７１】
携帯電話機４００からの切断信号を受信した場合（Ｓ１１１１３、Ｙｅｓ）、中央制御部３０４は、音声データ中継制御部３１３で通話先と携帯電話機４００間の音声中継処理を停止する（Ｓ１１１１５）。そして、中央制御部３０４は、遠隔発信処理を終了する。
【００７２】
構内交換機１００から切断信号を受信した場合（Ｓ１１１１２、Ｙｅｓ）、中央制御部３０４は、近傍携帯無線接続制御部３０５を介して携帯電話機４００へ呼切断指示を送信し（Ｓ１１１１４）、ステップ１１１１５へ移行する。
【００７３】
図６は、図４の遠隔メール送信処理（Ｓ１１５）の詳細を説明するフロー図であり、本発明の一実施の形態に係る無線機能付き内線電話機が内線着信を検出した後、遠隔制御コマンドに従い携帯電話機から遠隔メール送信する場合の動作を表す。
【００７４】
遠隔メール送信処理が開始されると、中央制御部３０４は、通話先の電話番号が、内線電話機情報記憶部３１２の許可内線管理テーブル３１２００の許可内線電話機フィールド３１２００３に登録されているかを検索する（Ｓ１１５０１）。
【００７５】
通話先の電話番号が、内線電話機情報記憶部３１２の許可内線管理テーブル３１２００の許可内線電話機フィールド３１２００３に登録されている、すなわち、通話先が許可内線電話機の場合（Ｓ１１５０２、Ｙｅｓ）、中央制御部３０４は、内線電話機情報記憶部３１２の許可内線管理テーブル３１２００から、通話先の電話番号と一致する許可内線電話機フィールド３１２００３のレコードの携帯電話機フィールド３１２００１の携帯電話機を抽出する（Ｓ１１５０３）。通話先が許可内線電話機でない場合（Ｓ１１５０２、Ｎｏ）、中央制御部３０４は、通話先へ内線インタフェース部３０１を介して構内交換機１００へ遠隔メール送信停止ガイダンス（遠隔メール送信を停止する旨を知らせるガイダンスのこと）を送出する（Ｓ１１５０９）。そして、中央制御部３０４は、遠隔メール送信処理を終了する。
【００７６】
通話先の電話番号に対応する携帯電話機を抽出後（Ｓ１１５０３）、中央制御部３０４は、近傍携帯無線接続制御部３０５を介して抽出した携帯電話機が自装置と無線接続中か否か判定する（Ｓ１１５０４）。抽出した携帯電話機が自装置と無線接続中の場合（Ｓ１１５０４、Ｙｅｓ）、中央制御部３０４は、内線インタフェース部３０１を介して、通話先へ番号入力案内ガイダンスを送出する（Ｓ１１５０５）。抽出した携帯電話機が自装置と無線接続中でない場合（Ｓ１１５０４、Ｎｏ）、ステップ１１５０９に移行する。
【００７７】
通話先へ番号入力案内ガイダンスを送出後（Ｓ１１５０５）、中央制御部３０４は、内線インタフェース部３０１を介して構内交換機１００から送られてくる音声信号にＤＴＭＦ信号による発信先番号の入力を検出する（Ｓ１１５０６）、または、一定時間経過する（Ｓ１１５０７）、のいずれかの状態になるのを待つ。
【００７８】
一定時間経過した場合（Ｓ１１５０７、Ｙｅｓ）、ステップ１１５０９に移行する。  
ＤＴＭＦ信号による発信先番号の入力を検出した場合（Ｓ１１５０６、Ｙｅｓ）、中央制御部３０４は、携帯電話機遠隔制御部３０６より、携帯電話機４００を特定し、近傍携帯無線接続制御部３０５を介して携帯電話機４００へ検出した発信先番号を含むメール送信通知を送信する（Ｓ１１５０８）。そして、中央制御部３０４は、遠隔メール送信処理を終了する。
【００７９】
尚、上記の実施形態では、構内交換機に収容する内線電話機として説明したが、本発明はこれに限定されない。例えば、１以上の外線および複数内線を収容する電話主装置であっても良く、外部機器とデータ通信を実施するパソコン等の装置であってもよい。
【００８０】
以上、本発明を実施する形態について、説明した。
【００８１】
本発明を実施する形態によれば、中央制御部３０４は、携帯電話機４００が無線機能付き内線電話機３００と無線接続している状態で、構内交換機１００から内線インタフェース部３０１を介して内線着信が到来すると、自動応答制御部３０９は当該内線着信に自動応答して発信元の内線電話機と自内線電話機との間の通話を確立する。当該通話を確立した発信元の発信元番号を抽出して、中央制御部３０４は内線電話機情報記憶部３１２に前記発信元番号と一致する電話番号が存在するか否かを判定し、前記発信元番号と一致する電話番号が前記内線電話機情報記憶部３１２に存在する場合、中央制御部３０４は、当該発信元番号に対応する携帯電話機４００の端末ＩＤを参照し、前記参照した携帯電話機４００の端末ＩＤに対応する携帯電話機４００が無線接続しているか否か判定し、前記参照した携帯電話機４００の端末ＩＤに対応する携帯電話機４００が無線接続している場合、前記通話を確立した発信元の内線電話機から、中央制御部３０４は、構内交換機１００から内線インタフェース部３０１を介して、受信する音声信号が遠隔制御コマンド監視部３０８によってＤＴＭＦ信号かどうか検出し、ＤＴＭＦ信号の場合、携帯電話機を遠隔制御するＤＴＭＦ信号を受付けたならば、受付けたＤＴＭＦ信号に応じて前記携帯電話機を遠隔制御することができる。
【００８２】
これにより、無線機能付き内線電話機の利用者は、携帯電話機を直接操作せずに携帯電話機の遠隔制御をすることができるため、緊急を要する際に携帯電話機を使用することが可能となる。
【００８３】
また、本発明を実施する形態によれば、受信する音声信号が遠隔制御コマンド監視部３０８によってＤＴＭＦ信号かどうか検出し、ＤＴＭＦ信号の場合、携帯電話機を遠隔制御するＤＴＭＦ信号を受付けたならば、受付けたＤＴＭＦ信号に応じて前記携帯電話機を遠隔制御し携帯電話機から遠隔メール送信制御することができる。
【００８４】
これにより、無線機能付き内線電話機の利用者は、携帯電話機を直接操作せずに定型文を含む電子メールの送信またはＳＮＳによるメッセージ送信を遠隔制御することができるようになるため、電話応対時にかけ直し不要などの連絡をメールにて即座に行うことができるようになる。
【００８５】
また、本発明を実施する形態によれば、無線機能付き内線電話機は、受信する音声信号が遠隔制御コマンド監視部３０８によってＤＴＭＦ信号かどうか検出し、ＤＴＭＦ信号の場合、携帯電話機を遠隔制御するＤＴＭＦ信号を受付けたならば、受付けたＤＴＭＦ信号に応じて前記携帯電話機を遠隔制御し、携帯電話機の電話回線を介して電話発信を遠隔制御することができる。
【００８６】
これにより、無線機能付き内線電話機の利用者は、携帯電話機を直接操作せずに遠隔発信制御することができるようになるため、緊急を要する連絡を電話発信にて即座に行うことが可能となる。
【００８７】
尚、上記の実施形態では、無線機能付き内線電話機が内線着信を検出した後の携帯電話機の特定、もしくは無線機能付き内線電話機が携帯着信を検出した後の内線電話機の特定において、ＤＴＭＦ信号を利用したが、本発明はこれに限定されない。例えば、ＤＴＭＦ信号の代わりに、ＩＰ通信技術を用いたコマンドの送信／受信であっても良い。
【００８８】
これにより、無線機能付き内線電話機の利用者は、無線機能付き内線電話機と携帯電話機が無線接続していない状態であっても遠隔操作出来るようになる。
【００８９】
尚、上記の実施形態では、携帯電話機を遠隔制御する手段として、検出した発信先番号を含む電話発信通知の送信と、検出した送信先番号を含むメール送信通知の送信を説明したが、本願はこれに限定されない。例えば、無線機能付き内線電話機に携帯電話機内のアプリケーションから通知される電池残量を解析する電池残量解析部と、解析した電池残量を音声信号に変換する音声信号変換部を設けるようにしてもよい。
【００９０】
これにより、無線機能付き内線電話機の利用者は、電池残量取得通知を携帯電話機に送信することで、携帯電話機の電池残量を確認することができるようになり、遠隔操作時に電池切れによる遠隔操作の失敗をなくすことが出来るようになる。
【００９１】
尚、携帯電話機を遠隔制御する手段として、検出した発信先番号を含む電話発信通知の送信と、検出した送信先番号を含むメール送信通知の送信を説明したが、本願はこれに限定されない。例えば、無線機能付き内線電話機に接続状態監視部（無線機能付き内線電話機と携帯電話機が無線接続しているか否かを検出する）を設けるようにしてもよい。
【００９２】
これにより、無線機能付き内線電話機の利用者は、無線機能付き内線電話機と携帯電話機が無線接続中に無線接続が解除された場合、携帯電話機が盗難されたことの通知を受けることが出来るようになる。
【符号の説明】
【００９３】
１・・・本発明に係る実施形態の内線電話機を備える施設建屋
２・・・使用禁止エリア
３・・・使用許可エリア
１００・・・構内交換機
２００・・・内線電話機
３００・・・無線機能付き内線電話機
３０１・・・内線インターフェース部
３０２・・・表示部／キー操作入力部
３０３・・・送受話部
３０４・・・中央制御部
３０５・・・近傍携帯無線接続制御部
３０６・・・携帯電話機遠隔制御部
３０７・・・携帯着信検出部
３０８・・・遠隔制御コマンド監視部
３０９・・・自動応答制御部
３１０・・・自動発信制御部
３１１・・・メッセージ送出制御部
３１２・・・内線電話機情報記憶部
３１３・・・音声データ中継制御部
４００・・・携帯電話機
【図１】
2018152718.tif 000003
【図２】
2018152718.tif 000004
【図３（ａ）】
2018152718.tif 000005
【図３（ｂ）】
2018152718.tif 000006
【図３（ｃ）】
2018152718.tif 000007
【図４】
2018152718.tif 000008
【図５】
2018152718.tif 000009
【図６】
2018152718.tif 000010